(57)【特許請求の範囲】
【請求項１】
端末装置からの電子文書の配信依頼に応じて、該電子文書のデータを通信パケット単位に分割するとともに、前記端末装置からの各通信パケットの要求を受信すると該要求に応じた通信パケットを要求元の端末装置に対して送信するダウンロード処理部と、
前記端末装置から各通信パケットの要求を受信した際に、該要求の記録を配信ログデータベースに書き込む配信ログ記録部と
を具備し、
前記ダウンロード処理部は、前記電子文書の配信依頼に応じて該電子文書のデータを実データの通信パケットとして分割する際にダミーデータの通信パケットを生成するとともに、前記実データの通信パケットを全て前記端末装置に対して送信した後に、当該分割した通信パケットのうちの最終の通信パケットを受信した前記端末装置から前記ダミーデータのみを含んだ通信パケットの要求を受信した際には前記ダミーデータの通信パケットを前記端末装置に対して送信するものであり、
前記配信ログ記録部は、前記ダウンロード処理部が前記実データの通信パケットを全て前記端末装置に送信した後に、当該分割した通信パケットのうちの最終の通信パケットを受信した前記端末装置であって、利用者による前記電子文書のデータの記憶装置への書き込み完了の確認ボタンの押下を受け付けた前記端末装置から、前記ダミーデータのみを含んだ通信パケットの要求を受信した際に、前記電子文書が前記端末装置の記憶装置に書き込まれたことの確認記録を前記配信ログデータベースに書き込むものであることを特徴とする電子文書配信システム。
【請求項２】
端末装置からの電子文書の配信依頼に応じて、該電子文書のデータを通信パケット単位に分割する第１の過程と、
前記端末装置から各通信パケットの要求を受信すると、該要求の記録を配信ログデータベースに書き込む第２の過程と、
前記各通信パケットの要求を受信すると、該要求に応じた通信パケットを要求元の端末装置に対して送信する第３の過程と、
を含み、
前記第１の過程においては、前記電子文書のデータを実データの通信パケットとして分割する際にダミーデータの通信パケットを生成するものであり、
さらに、
前記実データの通信パケットを全て前記端末装置に対して送信した後に、当該分割した通信パケットのうちの最終の通信パケットを受信した前記端末装置であって、利用者による前記電子文書のデータの記憶装置への書き込み完了の確認ボタンの押下を受け付けた前記端末装置から、前記ダミーデータのみを含んだ通信パケットの要求を受信した際には、該要求の記録を前記配信ログデータベースに書き込む第４の過程と、
前記実データの通信パケットを全て前記端末装置に対して送信した後に、当該分割した通信パケットのうちの最終の通信パケットを受信した前記端末装置から前記ダミーデータのみを含んだ通信パケットの要求を受信した際には、前記ダミーデータの通信パケットを前記端末装置に対して送信する第５の過程と、
を含むことを特徴とする電子文書配信方法。
【請求項３】
端末装置からの電子文書の配信依頼に応じて、該電子文書のデータを通信パケット単位に分割する第１の過程と、
前記端末装置から各通信パケットの要求を受信すると、該要求の記録を配信ログデータベースに書き込む第２の過程と、
前記各通信パケットの要求を受信すると、該要求に応じた通信パケットを要求元の端末装置に対して送信する第３の過程と、
の各過程の処理をコンピュータに実行させ、
前記第１の過程においては、前記電子文書のデータを実データの通信パケットとして分割する際にダミーデータの通信パケットを生成する処理をコンピュータに実行させるとともに、
さらに、
前記実データの通信パケットを全て前記端末装置に対して送信した後に、当該分割した通信パケットのうちの最終の通信パケットを受信した前記端末装置であって、利用者による前記電子文書のデータの記憶装置への書き込み完了の確認ボタンの押下を受け付けた前記端末装置から、前記ダミーデータのみを含んだ通信パケットの要求を受信した際には、該要求の記録を前記配信ログデータベースに書き込む第４の過程と、
前記実データの通信パケットを全て前記端末装置に対して送信した後に、当該分割した通信パケットのうちの最終の通信パケットを受信した前記端末装置から前記ダミーデータのみを含んだ通信パケットの要求を受信した際には、前記ダミーデータの通信パケットを前記端末装置に対して送信する第５の過程と、
の各過程の処理をコンピュータに実行させるコンピュータプログラム。
【発明の詳細な説明】
【０００１】
【発明の属する技術分野】
この発明は、配信者から受信者へ電子文書を配信するための電子文書配信システムおよび配信方法に関する。特に、インターネットなどの通信ネットワークを用いた電子取引において利用可能な電子文書配信システムおよび配信方法に関する。
【０００２】
【従来の技術】
従来、インターネットなどの通信ネットワークを経由して、サーバ装置からクライアント装置に電子文書を届けるためには、ＨＴＴＰ（Hyper-Text Transfer Protocol）を用いることによってＨＴＭＬ（Hyper-Text Markup Language）などのコンテンツ記述言語で記述された形式の電子文書データやその他形式の電子文書データなどをクライアント装置側へダウンロードする方法や、ＳＭＴＰ（Simple Mail Transfer Protocol ）やＰＯＰ３（Post Office Protocol 3）などを用いることによってＭＩＭＥ（Multipurpose Internet Mail Extensions）などの形式で電子メールに添付された電子文書をクライアント装置側へ届ける方法などが用いられていた。
【０００３】
図４は、従来技術により、電子文書をダウンロードサイト（サーバ装置）から顧客端末（クライアント装置）に届ける際の通信手順の一例を示すシーケンス図である。図４に示す手順では、まずステップＳ９１において、顧客端末からダウンロードサイトに対して配信依頼が送信される。これを受信したダウンロードサイトは、電子文書の配信ファイルを複数の通信パケットに分割し、ステップＳ９２において１番目の通信パケットを顧客端末に対して配信する。次に、ステップＳ９３において顧客端末からダウンロードサイトに対して２番目のパケットの要求が送られると、ダウンロードサイトはステップＳ９４において２番目の通信パケットを顧客端末に対して配信する。以下、同様に、通信パケットの要求と配信が繰り返される。そして、ステップＳ９５において、最終のパケットがダウンロードサイトから顧客端末に配信される。
【０００４】
【発明が解決しようとする課題】
ところで、近年、インターネットなどの通信ネットワークを用いて取引を行う電子商取引の技術が普及しつつある。この電子商取引の技術は、狭義の商業上の取引に限らず、金融取引や、公共サービス提供なども含んだ様々な分野に適用することができる。これらの様々な種類の取引においては、電子文書がサーバ側からクライアント側に確実に届けられたことを保証することが求められる場合がある。
【０００５】
例えば、平成１３年４月より、日本国において「書面の交付等に関する情報通信の技術の利用のための関係法律の整備に関する法律（ＩＴ書面一括法）」が施行された。同法では、従来の書面交付が必要な法律を書き換えて、電子文書の配信をもってこの文書の交付に代えることを許している。この法律によって電子交付が許された文書の中には、 被交付者が間違いなく受信できなければ何らかの不利益を被る恐れのある文書も含まれている。
【０００６】
例えば、投資信託の運用先等を記した目論見書や、運用の実態を示す運用報告書等は被交付者の手許まで確実に届けることが望ましい文書として位置づけることができる。
【０００７】
しかしながら、前記従来技術で述べたＨＴＴＰ、ＳＭＴＰ、ＰＯＰ３など、インターネット上で多用されている通信プロトコルは、送達確認の機能を提供しておらず、上述の文書が確実に届けられたか否かをシステム的に確認する機能を有していないという問題がある。
【０００８】
本発明は、このような事情を考慮してなされたものであり、受信者が電子文書を受信したことを確認することのできる電子文書配信システムおよび電子文書配信方法を提供することを目的とする。
【０００９】
【課題を解決するための手段】
上記の課題を解決するために、本発明は、端末装置からの電子文書の配信依頼に応じて、該電子文書のデータを通信パケット単位に分割するとともに、前記端末装置からの各通信パケットの要求を受信すると該要求に応じた通信パケットを要求元の端末装置に対して送信するダウンロード処理部と、前記端末装置から各通信パケットの要求を受信した際に、該要求の記録を配信ログデータベースに書き込む配信ログ記録部とを具備することを特徴とする電子文書配信システムを要旨とする。
【００１０】
また、本発明の電子文書配信システムにおいては、前記ダウンロード処理部は、前記電子文書の配信依頼に応じて該電子文書のデータを実データの通信パケットとして分割する際にダミーデータの通信パケットを生成するとともに、前記実データの通信パケットを全て前記端末装置に対して送信した後に前記端末装置から通信パケットの要求を受信した際には前記ダミーデータの通信パケットを前記端末装置に対して送信するものであり、前記配信ログ記録部は、前記ダウンロード処理部が前記実データの通信パケットを全て前記端末装置に送信した後に前記端末装置から通信パケットの要求を受信した際に、該要求の記録を前記配信ログデータベースに書き込むものであることを特徴とする。
【００１１】
また、本発明の電子文書配信システムにおいては、前記配信ログ記録部は、前記ダウンロード処理部が前記実データの通信パケットを全て前記端末装置に送信した後に前記端末装置から通信パケットの要求を受信した際に、前記電子文書が前記端末装置の記憶装置に書き込まれたことの確認記録を前記配信ログデータベースに書き込むものであることを特徴とする。
【００１２】
また、本発明の電子文書配信方法は、端末装置からの電子文書の配信依頼に応じて、該電子文書のデータを通信パケット単位に分割する第１の過程と、前記端末装置から各通信パケットの要求を受信すると、該要求の記録を配信ログデータベースに書き込む第２の過程と、前記各通信パケットの要求を受信すると、該要求に応じた通信パケットを要求元の端末装置に対して送信する第３の過程とを含むことを特徴とするものである。
【００１３】
また、本発明の電子文書配信方法は、前記第１の過程においては、前記電子文書のデータを実データの通信パケットとして分割する際にダミーデータの通信パケットを生成するものであり、さらに、前記実データの通信パケットを全て前記端末装置に対して送信した後に前記端末装置から通信パケットの要求を受信した際には、該要求の記録を前記配信ログデータベースに書き込む第４の過程と、前記実データの通信パケットを全て前記端末装置に対して送信した後に前記端末装置から通信パケットの要求を受信した際には、前記ダミーデータの通信パケットを前記端末装置に対して送信する第５の過程とを含むことを特徴とするものである。
【００１４】
また、本発明の電子文書配信方法は、前記第４の過程においては、前記電子文書が前記端末装置の記憶装置に書き込まれたことの確認記録を前記配信ログデータベースに書き込むことを特徴とするものである。
【００１５】
また、本発明のコンピュータプログラムは、端末装置からの電子文書の配信依頼に応じて、該電子文書のデータを通信パケット単位に分割する第１の過程と、前記端末装置から各通信パケットの要求を受信すると、該要求の記録を配信ログデータベースに書き込む第２の過程と、前記各通信パケットの要求を受信すると、該要求に応じた通信パケットを要求元の端末装置に対して送信する第３の過程との各過程の処理をコンピュータに実行させるものである。
【００１６】
また、本発明のコンピュータプログラムは、前記第１の過程においては、前記電子文書のデータを実データの通信パケットとして分割する際にダミーデータの通信パケットを生成する処理をコンピュータに実行させるとともに、さらに、前記実データの通信パケットを全て前記端末装置に対して送信した後に前記端末装置から通信パケットの要求を受信した際には、該要求の記録を前記配信ログデータベースに書き込む第４の過程と、前記実データの通信パケットを全て前記端末装置に対して送信した後に前記端末装置から通信パケットの要求を受信した際には、前記ダミーデータの通信パケットを前記端末装置に対して送信する第５の過程との各過程の処理をコンピュータに実行させるものである。
【００１７】
また、本発明のコンピュータプログラムは、前記第４の過程においては、前記電子文書が前記端末装置の記憶装置に書き込まれたことの確認記録を前記配信ログデータベースに書き込む処理をコンピュータに実行させるものである。
【００１８】
【発明の実施の形態】
以下、図面を参照しこの発明の第１の実施形態について説明する。図１は同実施形態による電子文書配信システムの構成を示す概略構成図である。図１において、符号１はサーバ、２は通信ネットワーク、３は顧客端末（端末装置）であり、サーバ１と顧客端末３とは通信ネットワーク２を介して相互に通信を行うことができるようになっている。サーバ１としては、例えば、通信機能を有するコンピュータを用いることとし、ＵＮＩＸ（登録商標）などの汎用オペレーティングシステムによってサーバ１を制御するようにする。また、顧客端末３としては、例えば、通信機能を有するパーソナルコンピュータを用いる。また、通信ネットワーク２としては、例えば、インターネットや専用回線網や公衆回線網などを用いる。
【００１９】
サーバ１は、ダウンロードサイト（１０，電子文書配信システム）としての機能と配信ログデータベース２０とを備えている。ダウンロードサイト１０は、顧客端末３からの要求に応じて電子文書を配信するダウンロード処理部１１と、配信の記録を配信ログデータベース２０に書き込む配信ログ記録部１２とを具備している。
【００２０】
前述のように、サーバ１はコンピュータを用いて実現されており、上述のダウンロード処理部１１および配信ログ記録部１２の処理の過程は、コンピュータプログラムの形式でコンピュータ読み取り可能な記録媒体に記憶されている。そして、このプログラムをコンピュータが読み出して実行することによって、上記の各処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、配信ログデータベース２０は、磁気ディスク装置など、不揮発性の記憶装置を用いて実現する。
【００２１】
次に、上記の電子文書配信システムにおける配信の手順について説明する。図２は、サーバ１内のダウンロードサイト１０から顧客端末３に電子文書を配信する際の手順を示すシーケンス図である。以下、この手順に沿って説明する。
【００２２】
まず、ステップＳ１において、例えば、顧客端末３側の利用者が端末画面上のダウンロードボタンを押下することをトリガとして、顧客端末３からダウンロードサイト１０に対して配信依頼が送られる。
すると、この配信依頼を受けたダウンロードサイト１０は、配信する電子文書のデータファイルを複数の通信パケットに分割する処理を行うとともに、ステップＳ２において、上記配信依頼を記録するために配信ログデータベース２０への書き込みを行う。
そして、ダウンロードサイト１０は、ステップＳ３において１番目の通信パケットを顧客端末３に対して配信するとともに、ステップＳ４において１番目の通信パケットの配信が完了した旨の記録を配信ログデータベース２０に書き込む。
【００２３】
顧客端末３側でこの１番目の通信パケットの受信が完了すると、ステップＳ５において、顧客端末３からダウンロードサイト１０に対して２番目の通信パケットの要求が送られる。
すると、この要求を受けたダウンロードサイト１０は、ステップＳ６において、２番目の通信パケットの要求を記録するために配信ログデータベース２０への書き込みを行う。
そして、ダウンロードサイト１０は、ステップＳ７において２番目の通信パケットを顧客端末３に対して配信するとともに、ステップＳ８において２番目の通信パケットの配信が完了した旨の記録を配信ログデータベース２０に書き込む。
【００２４】
以下、同様に、顧客端末３からダウンロードサイト１０に対してｎ番目の通信パケットの要求が送られると、ダウンロードサイト１０は、ｎ番目の通信パケットの要求を記録するために配信ログデータベース２０への書き込みを行い、ｎ番目の通信パケットを顧客端末３に対して配信し、ｎ番目の通信パケットの配信完了記録を配信ログデータベース２０に書き込む処理を行う。
【００２５】
また、端末装置３からダウンロードサイト１０に対して最終（最後）の通信パケットの要求が送られた際には、ダウンロードサイトは、最終の通信パケットの要求を記録するために配信ログデータベース２０への書き込みを行い、ステップＳ９において最終の通信パケットを顧客端末３に対して配信するとともに、ステップＳ１０において最終の通信パケットの配信完了記録を配信ログデータベース２０に書き込む処理を行う。
【００２６】
このように、図２に示した本実施形態の手順によれば、ｎ番目（ｎ＝２，３，４，…）の通信パケットの要求が顧客端末３からダウンロードサイト１０に送られることにより、これを受信したダウンロードサイト１０側では、（ｎ−１）番目の通信パケットが顧客端末３側に確実に届いたことを知ることができる。また、このｎ番目の通信パケットの要求の記録を配信ログデータベース２０に書き込むことにより、（ｎ−１）番目の通信パケットが顧客端末３側に届いたことを記録として残すことができ、後でこの配信ログデータベース２０を参照すれば、通信パケットの送達を確認することができる。
【００２７】
また、同手順によれば、ｎ番目（ｎ＝１，２，３，…）の通信パケットの配信完了の記録が配信ログデータベース２０に書き込まれるため、後でこの配信ログデータベース２０を参照することにより、ｎ番目の通信パケットがダウンロードサイト１０から顧客端末３に向けて送信されたことを確認することができる。
【００２８】
次に、本発明の第２の実施形態について説明する。前述の第１の実施形態においては、図２のステップＳ９において最終の通信パケットがダウンロードサイト１０から顧客端末３に向けて送信された後、ダウンロードサイト１０側では、その通信パケットが確実に届いたかどうかを知ることができなかった。つまり、最終通信パケットの１つ前までの通信パケットについては、送達確認を行いその記録が配信ログデータベースに書き込まれていたが、最終の通信パケットについては送達確認が行われていなかった。この第２の実施形態は、その点において第１の実施形態をさらに改良したものであり、電子文書の最後まで送達確認ができるようにするものである。
【００２９】
図３は、第２の実施形態によって、ダウンロードサイト１０から顧客端末３に電子文書を配信する際の手順を示すシーケンス図である。以下、この手順に沿って説明する。
【００３０】
まず、ステップＳ２１において、例えば、顧客端末３側の利用者が端末画面上のダウンロードボタンを押下することをトリガとして、顧客端末３からダウンロードサイト１０に対して配信依頼が送られる。
すると、この配信依頼を受けたダウンロードサイト１０は、配信する電子文書のファイルを複数の通信パケットに分割する処理を行う。このとき、ダウンロードサイトは、実データの最終の通信パケットの後に、ダミーデータのみを含んだ最終の通信パケットを生成する。
そして、ダウンロードサイト１０は、ステップＳ２２において、上記配信依頼を記録するために配信ログデータベース２０への書き込みを行う。
そして、ダウンロードサイト１０は、ステップＳ２３において１番目の通信パケットを顧客端末３に対して配信するとともに、ステップＳ２４において１番目の通信パケットの配信が完了した旨の記録を配信ログデータベース２０に書き込む。
【００３１】
以下、ステップＳ２５からステップＳ２８までの処理は、図２に示したステップＳ５からステップＳ８までの処理と同様である。
つまり、顧客端末３からダウンロードサイト１０に対してｎ番目の通信パケットの要求が送られると、ダウンロードサイト１０は、ｎ番目の通信パケットの要求を記録するために配信ログデータベース２０への書き込みを行い、ｎ番目の通信パケットを顧客端末３に対して配信し、ｎ番目の通信パケットの配信完了記録を配信ログデータベース２０に書き込む処理を行う。
【００３２】
上記のように、順次、ダウンロードサイト１０から顧客端末３への通信パケットの配信が行われていき、ステップＳ２９において、ダウンロードサイト１０は、電子文書の実データを含んだ最終の通信パケットを顧客端末３に対して送信する。また、ステップＳ３０において、ダウンロードサイト１０は、実データを含んだ最終の通信パケットの配信が完了した旨の記録を配信ログデータベース２０に書き込む。
【００３３】
次に、ステップＳ２９で送信された通信パケットを受信した顧客端末３は、当該通信パケット内の制御データを参照することにより、まだ受信すべき通信パケットが残っていることを認識し、ステップＳ３１において、最終の通信パケット（ダミーデータのみを含んだ最終の通信パケット）の要求をダウンロードサイト１０に対して送信する。
これを受けて、ステップＳ３２において、ダウンロードサイト１０は、最終の通信パケットの要求を記録するために配信ログデータベース２０への書き込みを行う。そして、ステップＳ３３において、ダウンロードサイト１０は、ダミーデータのみを含んだ最終の通信パケットを顧客端末３に対して送信する。
【００３４】
つまり、本実施形態においては、ダウンロード処理部１１は、電子文書の配信依頼に応じて該電子文書のデータを実データの通信パケットとして分割する際にダミーデータの通信パケットを生成するとともに、実データの通信パケットを全て顧客端末３に対して送信した後に顧客端末３から通信パケットの要求を受信した際には前記ダミーデータの通信パケットを顧客端末３に対して送信するものである。
また、配信ログ記録部１２は、ダウンロード処理部１１が実データの通信パケットを全て顧客端末３に送信した後に顧客端末３から通信パケットの要求を受信した際に、該要求の記録を配信ログデータベース２０に書き込むものである。
【００３５】
このように、図３に示した本実施形態の手順によれば、ｎ番目（ｎ＝２，３，４，…）の通信パケットの要求が顧客端末３からダウンロードサイト１０に送られることにより、これを受信したダウンロードサイト１０側では、（ｎ−１）番目の通信パケットが顧客端末３側に確実に届いたことを知ることができる。また、このｎ番目の通信パケットの要求の記録を配信ログデータベース２０に書き込むことにより、（ｎ−１）番目の通信パケットが顧客端末３側に届いたことを記録として残すことができ、後でこの配信ログデータベース２０を参照すれば、通信パケットの送達を確認することができる。ここで、本実施形態では、実データを含んだ最終の通信パケットの後に、ダミーデータのみを含んだ最終の通信パケットを付加しているため、実データを含んだ最終の通信パケットについても、顧客端末３への送達を確認することができるという特徴がある。
【００３６】
以上、図面を参照してこの発明の実施形態を詳述してきたが、具体的な構成はこれらの実施形態に限られるものではなく、この発明の要旨を逸脱しない範囲の設計等も含まれる。
【００３７】
例えば、図３のステップＳ２９においてダウンロードサイト１０側から顧客端末３に対して実データを含んだ最終の通信パケットが送られたとき、顧客端末側では、当該通信パケットから実データを取り出し、それ以前の通信パケットに含まれていた実データとともに電子文書の配信ファイルを復元し、このファイルが磁気ディスク装置に書き込まれたことを利用者が確認し、例えば画面上の「確認」のボタンが押下されてから、ステップＳ３１の最終パケット要求を送信するようにしても良い。このような手順とすることにより、ステップＳ３１において送信される最終パケット要求は、単に実データを含んだ最終の通信パケットが顧客端末３側で受信されたことのみならず、電子文書の配信ファイルが顧客端末３側の磁気ディスク装置に書き込まれたことを利用者が確認した旨を意味するものとなる。また、ステップＳ３２において配信ログデータベースに書き込まれる記録も同様の意味を表わすものとなる。
つまり、配信ログ記録部１２は、ダウンロード処理部１１が実データの通信パケットを全て顧客端末３に送信した後に顧客端末３から通信パケットの要求を受信した際に、電子文書が顧客端末３の記憶装置に書き込まれたことを利用者が確認した旨の記録（確認記録）を配信ログデータベース２０に書き込む。
【００３８】
【発明の効果】
以上説明したように、この発明によれば、端末装置からの電子文書の配信依頼に応じて、該電子文書のデータを通信パケット単位に分割する過程と、前記端末装置から各通信パケットの要求を受信すると、該要求の記録を配信ログデータベースに書き込む過程と、各通信パケットの要求を受信すると、該要求に応じた通信パケットを要求元の端末装置に対して送信する過程とを含むため、端末装置側で電子文書のデータの（ｎ−１）番目（ｎ＝２，３，４，…）の通信パケットを受信してからｎ番目の通信パケットを要求するようにすれば、配信者（サーバ側）側ではｎ番目の通信パケットの要求を端末装置から受信することにより、（ｎ−１）番目の通信パケットが端末装置側に確実に届いたことを知ることができる。また、このｎ番目の通信パケットの要求の記録を配信ログデータベースに書き込むことにより、（ｎ−１）番目の通信パケットが送達されたことを記録として残すことができる。
【００３９】
また、この発明によれば、端末装置からの要求に応じて電子文書のデータを実データの通信パケットとして分割する際にダミーデータの通信パケットを生成するとともに、実データの通信パケットを全て端末装置に対して送信した後に端末装置から通信パケットの要求を受信した際には、該要求の記録を配信ログデータベースに書き込むため、最終の実データの通信パケットについても送達を確認することが可能となる。
【００４０】
また、この発明によれば、実データの通信パケットを全て端末装置に対して送信した後に端末装置から通信パケットの要求を受信した際には、電子文書が端末装置の記憶装置に書き込まれたことを利用者が確認した旨の記録を配信ログデータベースに書き込むため、単に端末装置側にデータが配信されたことのみならず、利用者がそれを確認したことを記録として残すことが可能となる。
【図面の簡単な説明】
【図１】  この発明の第１の実施形態による電子文書配信システムの構成を示す概略構成図である。
【図２】  同実施形態による電子文書配信システムにおける配信の手順を示すシーケンス図である。
【図３】  この発明の第２の実施形態による電子文書配信システムにおける配信の手順を示すシーケンス図である。
【図４】  従来技術による電子文書のデータの配信手順を示すシーケンス図である。
【符号の説明】
１  サーバ
２  通信ネットワーク
３  顧客端末
１０  ダウンロードサイト
１１  ダウンロード処理部
１２  配信ログ記録部
２０  配信ログデータベース
【図１】
0004192454.tif 000002
【図２】
0004192454.tif 000003
【図３】
0004192454.tif 000004
【図４】
0004192454.tif 000005